(57)【要約】【課題】溶接ワイヤが消費されるまで容易に取り外すことのできない改善されたリフトストラップ構成の溶接ワイヤパッケージを提供する。【解決手段】コイル軸の回りに広がる外側の円筒周面と、上部と、向かい合う底部とを有するワイヤコイルが入るためのパッケージは、ワイヤコイルの該底部を、該ワイヤコイルが該パッケージの中にあるときに支えるための基部を有する。少なくとも１つの側壁が該ワイヤコイルの外側円筒周面の回りで該基部から上方に広がり、該ワイヤを取り外すために該パッケージ内で上部開口部を形成する上縁を有する。該パッケージは、該ワイヤコイルの該底部と、該ワイヤコイルの該軸に横断方向である該基部の間に押さえバー、および第1の端部と、第２の端部と、該第1の端部と第２の端部の間、および該ワイヤの該底部と該基部の間のベース部分を有するリフトストラップとをさらに含む。該ベース部分は開口部を有し、該押さえバーは該開口部を通して伸張する。【選択図】図１
2006026741.tif 000002
【特許請求の範囲】
【請求項１】
コイル軸と、上部と、底部とからなるワイヤコイルを格納するためのパッケージであって、
前記パッケージが、
前記パッケージ内で前記ワイヤコイルを支えるための基部と、
前記基部から上方に伸張し、前記パッケージの上部開口部を画定する上端を有する壁手段と、
前記基部において、前記壁手段を横断するように設けたバーと、
第１の端部と、第２の端部と、前記第１の端部と第２の端部との間のベース部分とを有するリフトストラップとを備え、
前記ベース部分は開口部を有し、前記バーは前記開口部を通って伸張するように構成したことを特徴とするパッケージ。
【請求項２】
前記バーの一部が、前記ワイヤコイルの前記底部と前記基部との間にあることを特徴とする請求項１に記載のパッケージ。
【請求項３】
前記基部が１対の内側フラップおよび１対の外側フラップを含み、前記内側フラップが、互いに対向し、且つ互いに離間し、１つのフラップ凹部を形成するフラップ端部を有し、前記バーが少なくとも部分的に前記フラップ凹部内にあることを特徴とする請求項１又は２に記載のパッケージ。
【請求項４】
前記壁手段が、それぞれ第１の上端と第２の上端を有する第１の側壁と第２の側壁を含む４つの側壁を備え、前記パッケージが前記第１の上端と第２の上端から広がる１対の上部フラップと、前記第１の上端近くの第１の開口部と、前記第２の上端近くの第２の開口部とをさらに含み、前記リフトストラップの前記第１の端部と第２の端部が、それぞれ前記第１の開口部と第２の開口部を通過することを特徴とする請求項１〜３の何れかに記載のパッケージ。
【請求項５】
前記１対の上部フラップが、第１の上部フラップと第２の上部フラップとを含み、前記第１の開口部が、前記第１のフラップと前記第１の側壁との間にあり、前記第２の開口部が、前記第２のフラップと前記第２の側壁との間にあることを特徴とする請求項４に記載のパッケージ。
【請求項６】
前記４つの側壁に隣接する内部ライナーをさらに含み、前記リフトストラップが、前記ライナーと前記第１の側壁及び第２の側壁との間に配設されていることを特徴とする請求項４又は５記載のパッケージ。
【請求項７】
前記バーが、直線のバーであることを特徴とする請求項１〜６の何れかに記載のパッケージ。
【請求項８】
前記壁手段に隣接する内側ライナーをさらに含み、前記リフトストラップが、前記ライナーと前記壁手段との間に配設されていることを特徴とする請求項１〜５の何れかに記載のパッケージ。
【請求項９】
押さえ機構をさらに含み、前記バーが、前記押さえ機構の一部であることを特徴とする請求項１〜８の何れかに記載のパッケージ。
【請求項１０】
前記リフトストラップの前記ベース部分が、ストラップ端縁および前記ストラップ端縁間に広がり向かい合うストラップ面を有し、前記リフトストラップが、前記ベース部分に結合される二次ストラップをさらに含み、前記開口部が、前記ベース部分と前記二次ストラップの間の間隔であることを特徴とする請求項１〜９の何れかに記載のパッケージ。
【請求項１１】
前記二次ストラップが、前記ベース部分に縫い付けられていることを特徴とする請求項１０記載のパッケージ。
【請求項１２】
前記二次ストラップが、前記リフトストラップの断面構成に類似した断面構成を有することを特徴とする請求項１０又は１１記載のパッケージ。
【請求項１３】
押さえ機構をさらに含み、前記バーが前記押さえ機構から分離していることを特徴とする請求項１〜８の何れかに記載のパッケージ。
【請求項１４】
前記リフトストラップの前記ベース部分が、ストラップ端縁と底面と上面とを有し、前記上面および底面が前記ストラップ端縁の間に広がり、前記リフトストラップが、前記ベース部分の前記底面に接合される二次ストラップをさらに含み、前記開口部が、前記ベース部分の底面と前記二次ストラップの間の間隔であり、前記バーが前記ベース部分の下を通過することを特徴とする請求項１〜９の何れかに記載のパッケージ。
【請求項１５】
前記バーが、金属であることを特徴とする請求項１〜１４の何れかに記載のパッケージ。
【請求項１６】
前記バーが、前記壁手段から離間されていることを特徴とする請求項１〜１５の何れかに記載のパッケージ。
【請求項１７】
前記バーが、前記バー、前記基部、および前記ワイヤコイルの底部間の係合により前記パッケージの中に固定されることを特徴とする請求項１〜１６の何れかに記載のパッケージ。
【請求項１８】
前記リフトストラップは、前記第１の端部および第２の端部が前記上部開口部の上で垂直にのびる長さを有することを特徴とする請求項１〜１７の何れかに記載のパッケージ。
【請求項１９】
前記壁手段が、円筒形の側壁を含むことを特徴とする請求項１〜１８の何れかに記載のパッケージ。
【請求項２０】
前記パッケージの前記基部上に基部インサートをさらに含み、前記基部インサートが互いに離間して、それにより凹部を形成し、前記バーが少なくとも部分的に前記凹部の中にあることを特徴とする請求項１〜１９の何れかに記載のパッケージ。
【請求項２１】
コイル軸と、上部と、底部とを有するワイヤコイルを格納するパッケージであって、
前記パッケージが、
前記パッケージ内でワイヤコイルを支えるための基部と、
前記基部から上方に伸張する壁手段であって、前記パッケージの上部開口部を画定する上端を有する前記壁手段と、
前記壁手段に対して横断するように、前記基部に設けられたバーと、
第１の端部と、第２の端部と、前記第１の端部と第２の端部との間のバーコネクタとを有するリフトストラップとを備え、
前記リフトストラップが、前記バーコネクタにおいて、前記バーに選択的に連結可能であることを特徴とするパッケージ。
【請求項２２】
前記基部が、１対の内側フラップと１対の外側フラップとを含み、前記内側フラップは互いに対向し、且つ互いに離間して、フラップ凹部を形成するフラップ端部を有し、前記バーは、少なくとも部分的に前記フラップ凹部内にあることを特徴とする請求項２１記載のパッケージ。
【請求項２３】
前記リフトストラップが、ストラップ端縁と、前記ストラップ端縁間に広がり向かい合うストラップ面を有し、前記バーコネクタが、前記ストラップ面と前記ストラップ端縁間の開口部であることを特徴とする請求項２１記載のパッケージ。
【請求項２４】
前記リフトストラップが、ストラップ端縁および前記ストラップ端縁の間に広がり向かい合うストラップ面を有し、前記リフトストラップが、前記リフトストラップに接合される二次ストラップをさらに含み、前記バーコネクタが、前記リフトストラップと前記二次ストラップの間の間隔により形成される開口部であることを特徴とする請求項２１記載のパッケージ。
【請求項２５】
前記二次ストラップが、前記リフトストラップの下に配設されていることを特徴とする請求項２４記載のパッケージ。
【請求項２６】
コイル軸と、上部と、底部とを有するワイヤコイルを格納するパッケージであって、
前記パッケージが、
前記パッケージ内でワイヤコイルを支えるための基部と、
前記基部から上方に伸張し、前記ワイヤを取り外すための前記パッケージ内の上部開口部を画定する上端を有する壁手段と、
押さえ機構と、
第１の端部と、第２の端部と、前記第１の端部と第２の端部との間のベース部分とを有するリフトストラップとを備え、
前記ベース部分の少なくとも一部が、前記基部と前記ワイヤコイルの底部との間にあり、
前記ベース部分が、前記押さえ機構と選択的に接続可能であることを特徴とするパッケージ。
【発明の詳細な説明】
【技術分野】
【０００１】
本発明は溶接ワイヤパッケージに関し、さらに詳細には、該溶接ワイヤが消費されるまで容易に取り外すことのできない改善されたリフトストラップ構成の溶接ワイヤパッケージに関する。
【背景技術】
【０００２】
ロボット溶接ステーションなどの高い生産量のオペレーションで使用される溶接ワイヤは、概して２００ポンドを超えるワイヤを有するパッケージで提供される。該パッケージは、多くの場合、大量の溶接ワイヤが中心コアまたは中心の隙間穴の回りのドラム内で巻きつけられるドラムである。輸送中、ワイヤコイルが移動しないようにするために押さえ機構を使用することができる。ワイヤの輸送および払い出しを制御するためには、ワイヤの移動を防止するための押さえ機構の一部として活用できる上部リテーナーリングを設けることが標準的な慣行である。１つのこのようなパッケージは、それを示す背景資料としてここに参照することにより本書に組み込まれる特許文献１に示されている。別のこのようなパッケージは、押さえ機構を活用する溶接ワイヤパッケージを示すためにここに参照することによりやはり組み込まれる特許文献２に示されている。特許文献３は、パッキングスキッドを活用する溶接ワイヤパッケージを示し、それを示すために参照することによりやはり組み込まれる。特許文献４は、ハンドルを活用するワイヤパッケージを示し、それを示すために参照することによりやはり組み込まれる。
【０００３】
溶接業界においては、甚だしい数のロボット溶接ステーションが、ワイヤの連続供給を実現し、連続溶接動作を実行するためにパッケージから溶接ワイヤを引き出すためにそれぞれ動作可能である。電気溶接ワイヤのこの大量使用の到来により、大量の溶接ワイヤを含み、軽量配分するための大型パッケージに対するニーズが生じてきた。共通したパッケージは、巻きつけられた、またはコイル状にされた溶接ワイヤが、ドラムを背にした外側円筒周面および中心穴を画定する内側円筒周面のある上面を有するワイヤのワイヤスタック、つまり本体としてドラム内に配置されるドラムである。該中心穴は、多くの場合、特許文献１に示されるような厚紙の円筒形のコアにより占有される。ドラムが、溶接ワイヤの本体をそれが定着するにつれ安定化させるために輸送中に使用される上部リテーナーリングを有することは一般的なことである。特許文献1に示されるように、このリングは、コアとリングの間でワイヤの本体からワイヤを引き出すことができるように、その重量により下方に押すために溶接ワイヤの上部に留まる。さらに、押さえ機構は、該下方への力を増すために活用できる。理解できるように、大型溶接ワイヤパッケージは重く、該パッケージを移動するためにはリフトおよび他の材料輸送装置の使用を必要とする。やはり理解できるように、ワイヤパッケージは、ワイヤが消費される前に数回移動されることがある。これは、ワイヤ製造メーカとエンドユーザの間の数回の移動、およびいったんパッケージがエンドユーザに達してからのなお数回の移動を含むことがある。したがって、パッケージを移動するための持ち上げ装置の使用を容易にするためにパッケージ上に機構を含むことが有利である。
【０００４】
いくつかの従来の技術のパッケージは、コンテナの把持を助けるためにその外面上にハンドルを含む。しかしながら、ハンドルはより大きなワイヤパッケージについてはほとんど利点を提供しない。
【０００５】
他の従来の技術の溶接ワイヤパッケージは、フォークリフトがワイヤパッケージを移動できるようにするための内蔵パッキングスキッドまたはパレットを含む。理解できるように、重く嵩張り、多くの場合高価なパッキングスキッドは、いったん溶接ワイヤが消費されると処分されなければならない。多くの溶接動作、特にロボット溶接動作の間に使用される大量の溶接ワイヤを考慮すると、容易に且つ経済的に処分可能であるワイヤパッケージに対するニーズがある。
【０００６】
パッキングスキッドの短所を克服するために、重いワイヤパッケージを持ち上げるためにリフトストラップを活用しているものもある。これらのリフトストラップはどちらかの端部にループを有し、該ストラップはパッケージの中に伸張し、ワイヤコイルの基部の回りに巻きつく。ループはパッケージを吊り上げ装置に取り付けるために活用される。しかしながらただ１つのループが引っ張られると、ストラップはパッケージから引き出される。理解できるように、いったんストラップがパッケージから引き出されると、不可能ではなくても、溶接ワイヤパッケージを持ち上げるためにストラップを活用することは困難である。さらに、ストラップが例えばステープルなどによってパッケージにしっかりと固着されると、ワイヤが消費された後にパッケージからストラップを分離するのが困難である。理解できるように、パッキング材料を再生利用するためには、ストラップを製造するために使用される材料から、パッケージの紙製品を分離するなど、似ていない材料同士を容易に分離できることが有利である。
【０００７】
【特許文献１】米国特許第５，８１９，９３４号明細書
【特許文献２】米国特許第４，８６９，３６７号明細書
【特許文献３】米国特許第６，４８１，５７５号明細書
【特許文献４】米国特許第５，３７４，００５号明細書
【発明の開示】
【発明が解決しようとする課題】
【０００８】
本発明に従って、パッケージから引き出すことができないが、溶接ワイヤが消費された後にパッケージから容易に分離可能でもあるリフトストラップを含む溶接ワイヤパッケージが提供される。この点において、本発明によるパッケージは、溶接ワイヤが消費されるまで該ストラップの取り外しを防止するためにワイヤパッケージの押さえ機構と接続するリフトストラップを含む。
【０００９】
本発明の目的は、溶接ワイヤが消費されてしまうまでパッケージから不注意に取り外すことができないリフトストラップを含む溶接ワイヤパッケージを提供することである。
【００１０】
本発明の追加の目的は、溶接ワイヤが消費されてしまう前のストラップの取り外しを防ぐリフトストラップを含む溶接ワイヤパッケージを提供することである。
さらに本発明の追加の目的は、溶接ワイヤが消費されてしまった後に残りのパッケージ構成要素から容易に分離できるリフトストラップを含む溶接ワイヤパッケージを提供することである。
【００１１】
本発明の別の目的は、パッケージを輸送するために使用できるリフトストラップを含む溶接ワイヤパッケージを提供することである。
本発明のさらに別の目的は、製造するのが経済的であり、使用、および使用後の再利用あるいは廃棄が容易なリストストラップを含む溶接ワイヤパッケージを提供することである。
【課題を解決するための手段】
【００１２】
本発明は、上記した目的を達成するために、基本的には、以下に記載されたような技術構成を採用するものである。
即ち、本発明に係わる溶接ワイヤパッケージの第１の態様は、
コイル軸と、上部と、底部とからなるワイヤコイルを格納するためのパッケージであって、
【００１３】
前記パッケージが、
前記パッケージ内で前記ワイヤコイルを支えるための基部と、
前記基部から上方に伸張し、前記パッケージの上部開口部を画定する上端を有する壁手段と、
【００１４】
前記基部において、前記壁手段を横断するように設けたバーと、
第１の端部と、第２の端部と、前記第１の端部と第２の端部との間のベース部分とを有するリフトストラップとを備え、
前記ベース部分は開口部を有し、前記バーは前記開口部を通って伸張するように構成したことを特徴とするものであり、
又、第２の態様は、
コイル軸と、上部と、底部とを有するワイヤコイルを格納するパッケージであって、
【００１５】
前記パッケージが、
前記パッケージ内でワイヤコイルを支えるための基部と、
前記基部から上方に伸張する壁手段であって、前記パッケージの上部開口部を画定する上端を有する前記壁手段と、
前記壁手段に対して横断するように、前記基部に設けられたバーと、
第１の端部と、第２の端部と、前記第１の端部と第２の端部との間のバーコネクタとを有するリフトストラップとを備え、
【００１６】
前記リフトストラップが、前記バーコネクタにおいて、前記バーに選択的に連結可能であることを特徴とするものであり、
又、第３の態様は、
コイル軸と、上部と、底部とを有するワイヤコイルを格納するパッケージであって、
【００１７】
前記パッケージが、
前記パッケージ内でワイヤコイルを支えるための基部と、
前記基部から上方に伸張し、前記ワイヤを取り外すための前記パッケージ内の上部開口部を画定する上端を有する壁手段と、
押さえ機構と、
第１の端部と、第２の端部と、前記第１の端部と第２の端部との間のベース部分とを有するリフトストラップとを備え、
前記ベース部分の少なくとも一部が、前記基部と前記ワイヤコイルの底部との間にあり、
前記ベース部分が、前記押さえ機構と選択的に接続可能であることを特徴とするものである。
【発明の効果】
【００１８】
本発明の溶接ワイヤパッケージは、上記のように構成したので、溶接ワイヤが消費されてしまうまでパッケージから不注意に取り外すことができないリフトストラップを含む溶接ワイヤパッケージを提供することを可能にした。
【発明を実施するための最良の形態】
【００１９】
前記目的および他の目的は部分的に明らかとなり、部分的に、添付図面に描かれている本発明の好適な実施形態の作成された説明とともにこれ以降さらに完全に指摘されるであろう。
【００２０】
ここでさらに詳細に、表示が、本発明を制限する目的ではなく、本発明の好適な実施形態を説明する目的である図面を参照すると、図１から図４は、ワイヤＷが、底部１２、上部１４、および内面１６を有する円筒形の側壁１５を含むパッケージの中に保管され、パッケージの中から払い出される溶接ワイヤドラム型パッケージ１０を描く。パッケージ１０は、さらに表面１６と同心である円筒形の厚紙コア（不図示）を含むことがある。パッケージ１０は、さらにワイヤＷのコイル３０を維持するのを助け、輸送中にコイル３０が移動しないようにする押さえ機構２０をさらに含む。
【００２１】
周知のように、パッケージ１０には、ワイヤ製造施設でワイヤＷが装填され、ワイヤは溶接ワイヤの本体、つまり上面４０、表面１６を背にする外側円筒周面４２、および内側円筒周面４４を有するワイヤコイル３０を画定するためにパッケージの中に環状にされる。このようにして、表面１６と同心である中心の垂直に広がる穴４６が形成される。再び、いくつかの例では、内側コア（不図示）を使用できる。コイルは、さらに詳細に後述されるパッケージ底部１２に支えられている底部表面４８を含む。ワイヤは、それが最小のもつれでの払い出しを容易にするための外観を有するように巻きつけられる。これによりパッケージ１０の輸送の間と溶接ワイヤの巻き戻しの間の両方で制御されなければならない上方への跳躍を生じさせる。パッケージの輸送中、上方への跳躍、および概してコイル内でのワイヤ移動の防止は押さえ機構２０により管理される。
【００２２】
押さえ機構２０は、押さえバー５０、力発生部材５２およびトップバー５４を含む。前述されるように、該押さえ機構は、輸送中のワイヤコイル内でのワイヤの移動および／または上方への跳躍を妨げる。これは、コイル３０の上面４０にかかる下方への力を生じさせることにより達成される。さらに詳細には、押さえバー５０はパッケージの底部１２を基準にして維持される。バー５０は直線の細長いバー、曲線状のバー（不図示）、またはフック（不図示）を含むが、これらに限定されるものではない既知の押さえバーであってよい。さらに、バー５０のすべての意図されている用途に基づき、バーは金属などの適切な材料から作られるが、それに限定されるものではない。活用されているバーのタイプに応じて、バーはパッケージの底部を基準にして固定される。直線の押さえバーのケースでは、バーはコイル底部４８とパッケージ１０の底部１２の間に配置できる。コイル３０の重量がバーの上方への移動を妨げる。しかしながら、押さえバー５０は、壁１５および／または底部１２にも固定できる。力部材５２は、該部材５２がトップバー５４の中で下方への力を生じさせるように、押さえバー５０とトップバー５４の間に取り付けられる。部材５２は、図示されるようにゴムバンドまたはばねを含むが、これらに限定されない任意の既知の力生成手段であってよい。
【００２３】
押さえ機構２０は、コイルにかかる均等な下方への力を生じさせるためにコイルの上面４０上のリング５６をさらに含むことができる。リング５６は、ワイヤがワイヤコイル３０から解かれるにつれて、ワイヤＷ内のもつれを防ぐためにも使用されるリテーナーリングである場合がある。技術で既知であるように、パッケージ１０は、さらにトップバー５４とリング５６の間で伸張するリング保護部材（不図示）を含むことがある。この点では、リング５６がリテーナーリングである場合には、それは通常ワイヤの巻き戻しの制御のための最大機能性のために構成され、パッケージの輸送のためには最適に設計されていない。図示されているように、リング５６は、底面６２がコイル上部４０と係合する上面６０および底面６２を有する。トップバー５４はリング５６にかかる下方への力を生じさせるためにリング上面６０と係合する。リング５６は、壁１５の内面１６の直径未満の直径を有する外周６４、および内周６６をさらに含む。図示されるように、外周６４は表面１６からわずかに内側に離間できる。さらに、リング５６は周知で既知のリングである、および／または輸送専用のリング設計である場合がある。
【００２４】
パッケージ１０は、第１の端部７２および第２の端部７４を有するリフトストラップ７０をさらに含む。第１の端部７２および第２の端部７４は、それぞれループまたはリング７６および７８を含む。ループ７６および７８は任意の構成となり、金属を含むが、これに限定されない任意の適切な材料から構築することができ、ストラップ７０の材料により一体に作成されるループである場合がある。ループ７６および７８は、やはり技術で既知の装置である場合がある吊り上げ装置９０にストラップ７０を取り付けるために使用される。ストラップ７０は、底部１２とコイル底部４８の間に設置される、端部７２と７４の間の中間部分または底部８０を有する。理解されるように、パッケージ１０の重量の大半はコイル３０からである。したがって、コイルの下に伸張することにより、ストラップは外側パッケージに取り付けられなくてもパッケージの重量を支持できる。ストラップ７０には押さえバー５０にストラップを固定するための、底部分８０にストラップ固定穴８２が備えられている。この点で、押さえバー５０は、バー５０を取り除かずにストラップ７０をパッケージ１０から取り外すことができないようにストラップ穴８２を通って伸張する。機構２０などの既存の構造がストラップ７０を固定するために使用されるのは好ましいが、バー５０は、その主要な機能がストラップ７０を固定することである独立した構成部品である場合がある。
【００２５】
ある実施形態（図４）では、ストラップ穴８２は、任意の既知の手段によりストラップ底部８０にあるストラップ７０に取り付けられているストラップ部分８４により作成される。これは、ストラップ部分８４をストラップ７０に縫い付けることを含むが、これに限定されない。底部８０に概して平行に伸張する部分８４を含むことによって、穴８２はストラップ７０のストラップ面に実質的に平行である。その結果として、バー５０は、ストラップをねじるまたは歪めることなく穴８２を通って伸張できる。別の実施形態では、パッケージ１０は、それらがフラップ凹部９６を生じさせるように底部１２より小さいインサートまたはフラップ９２および９４をさらに含むことがある。フラップ凹部９６は、少なくとも部分的にバー５０を受け入れるのに十分なほど大きい。凹部９６を有することにより、バー５０は取り外すのがさらに難しくなり、バー５０がコイルの下で伸張する点でコイル３０に対してさらに少ない曲げ影響を及ぼす。
【００２６】
さらに別の実施形態（図５）では、ストラップ部分８０は、ストラップ端縁１０２と１０４の間でそこと一体化するストラップ固定穴１００を有する。穴１００は、ストラップ底部８０の中に食い込ませるか、あるいはストラップ部分の中に縫い付けるか、あるいは技術で周知の方法で製造することができる。理解されるように、ストラップ穴を設けるための２つの装置だけが図示されているが、ストラップ穴を提供するための他の装置および／またはストラップ７０をバー５０に固定する他の方法、および機構２０の別の構成要素が本発明を損なうことなく、活用できる。
【００２７】
ストラップ７０は、底部８０のどちらかの側から上方に広がる、上方に広がる部分１１０および１１２をさらに含む。この実施形態では、部分１１０および１１２は、外側コイル表面４２と内側カートン表面１６の間に広がる。しかしながら、図示されていないが、パッケージ１０はコイル３０の回りに広がるライナーおよび／または防湿層をさらに含み、技術で既知である他のパッケージ材料（複数の場合がある）を含むことがある。パッケージ１０の持ち上げをさらによく安定化するために、パッケージは上部１４近くの側壁１５に対角線上のストラップ開口部１１４と１１６を含む。ストラップ開口部は、ストラップ７０が側壁１５を通過できるように形作られる。ストラップ７０の外側部分１２０および１２２はそれぞれ開口部１１４および１１６からストラップ端部７２および７４まで伸張する。図３で最もよく分かるように、ストラップ７０をストラップ開口部１１４および１１６に通すことにより、ストラップ底部８０、ストラップ部分１１０と１１２の位置は、吊り上げ装置９０により生じる吊り上げ力の方向とは無関係に、実質的に維持される。さらに、吊り上げ安定性は、パッケージ１０にある点で、あるいはパッケージ１０の上部１４近くでの吊り上げを少なくとも部分的に制御することにより増加される。
【００２８】
本発明のさらに追加の実施形態に関する以下の説明では、前述されたものと同じままであるワイヤパッケージの構成要素は、同じ参照番号によって特定される。
図６および図７に関して、溶接ワイヤパッケージ２００が図示される。これらの図から理解されるように、溶接ワイヤストラップ７０は、溶接ワイヤパッケージ２００などの正方形ボックスパッケージを含む、技術で既知の幅広い範囲の溶接ワイヤパッケージとともに使用できる。さらに、図示されていないが、パッケージ２００は、押さえ機構２０などの押さえ機構を含むことがある。この点では、押さえ機構が所望されない場合、あるいは別のスタイルが使用される場合、任意の実施形態でのバー５０は、それが二次機能を有さないようにストラップ７０専用に使用できる。図示されるように、パッケージ２００はコイル底部４８の下に配置されるバー５０を含む。本来、ストラップ７０は前述されるとおりであるため、パッケージ２００に関して詳細に説明されない。しかしながら、このパッケージの正方形の設計のために、パッケージ２００は矩形の内側底部フラップ２１０と２１２、および外側底部フラップ２１４と２１６を含む場合がある。少なくとも部分的にバー５０を受け入れるためのフラップ凹部２２０を生じさせるために、内側フラップ２１０と２１２は短くすることができる。前述されたように、フラップ凹部２２０を含むことにより、バー５０はコイル３０に対してより少ない歪み影響を有する。さらに、凹部２２０によりバー５０を取り除くことはさらに難しくなるため、ストラップはパッケージにストラップを固定する必要なしにパッケージ２００にさらによく取り付けられる。パッケージ１０でのように、ストラップ７０は、バー５０がストラップ７０を通過し、ワイヤが消費されるまでバーを基準にしてストラップを維持できるようにするために穴を提供するための幅広い装置を活用できる。
【００２９】
パッケージ２００は、それぞれ内側フラップ２１０と２１２から上方に広がる側壁２３０と２３２、および外側フラップ２１４と２１６から上方に伸張する側壁２３４と２３６を含む。しかしながら、壁２３０と２３２が外側底部フラップから広がり、壁２３４と２３６が内側底部フラップから広がることができることが理解される。側壁２３０は上端２４０まで伸張し、側壁２３２は上端２４２まで伸張し、側壁２３４は上端２４４まで伸張し、側壁２３６は上端２４６まで伸張する。パッケージ２００は、それぞれ側壁２３０と２３２から広がる内側上部フラップ２５０と２５２、およびそれぞれ側壁２３４と２３６から広がる外部フラップ２５４と２５６を含む。再び、図示されていないが、内側上部フラップおよび外側上部フラップは、パッケージ２００の側壁のどれかに取り付けることができる。
【００３０】
パッケージ２００は、さらに、それぞれ上端２４０と２４２で、あるいは上端２４０と２４２近くで開口部２６０および２６２を含む。パッケージ１０について前述されたように、開口部２６０および２６２は、ストラップ７０がパッケージ２００の内部から外部に通過できるようにするほど十分に大きい。パッケージ１０と同様に、この構成は、吊り上げ装置９０により吊り上げられるときにパッケージ２００の安定性を増す。理解されるように、開口部２６０および２６２に類似する開口部も、側面２３４と２３６の上端２４４と２４６で、あるいは上端２４４と２４６の近くに設けることができる。これにより、ボックス内のコイルおよびストラップの位置を選択的に提供する。
【００３１】
数個のパッケージ構成だけが示されているが、本願の発明は、技術で既知の幅広い溶接ワイヤパッケージおよびパッケージ付属品とともに使用できる。該付属品は、側壁（複数の場合がある）とコイルの外面４２の間のパッケージライナー２７０、および図示されていないが、防湿層、他の押さえ機構のための角サポート、および幅広い範囲のリテーナーリングを含むが、これらに限定されない。
【００３２】
このように、本発明のパッケージは、
コイル軸と、上部と、底部とからなるワイヤコイルを格納するためのパッケージであって、
前記パッケージが、
前記パッケージ内で前記ワイヤコイルを支えるための基部と、
前記基部から上方に伸張し、前記パッケージの上部開口部を画定する上端を有する壁手段と、
【００３３】
前記基部において、前記壁手段を横断するように設けたバーと、
第１の端部と、第２の端部と、前記第１の端部と第２の端部との間のベース部分とを有するリフトストラップとを備え、
前記ベース部分は開口部を有し、前記バーは前記開口部を通って伸張するように構成したものである。
【００３４】
ここに描かれ、説明された本発明の好適な実施形態にかなり重きが置かれてきたが、他の実施形態を作ることができること、および本発明の原理から逸脱することなく好適な実施形態に多くの変更を加えることができることが理解されるであろう。したがって、前記説明事項は、制限としてではなく、本発明を単に例証するものとして解釈されるべきであること、およびそれが他の実施形態および好適な実施形態のすべての変型を、それらが添付請求項またはその同等物の範囲内にある限り、含むことを目的としていることが明確に理解されなければならない。
【図面の簡単な説明】
【００３５】
【図１】非持ち上げ状態にあるリフトストラップ付きの本発明による溶接ワイヤパッケージの斜視図である。
【図２】図１の線２−２に沿って取られる断面立面図である。
【図３】持ち上げ状態にあるリフトストラップ付きの、図２に図示されるような断面立面図である。
【図４】図１に図示されるパッケージの基部領域の拡大された斜視断面図である。
【図５】本発明の別の実施形態の基部領域の拡大された斜視断面図である。
【図６】持ち上げ状態のリフトストラップ付きの、本発明のさらに別の実施形態による溶接ワイヤパッケージの斜視図である。
【図７】図６の線７−７に沿って取られる断面立面図である。
【符号の説明】
【００３６】
１０  パッケージ
１２  底部
１４  上部
１５  側壁
１６  内面
２０  押さえ機構
３０  コイル
４０  上面
４２  外側円筒周面
４４  内側円筒周面
４６  穴
４８  底部表面
５０  押さえバー
５２  力発生部材
５４  トップバー
５６  リング
６０  リング上面
６２  リング底面
６４  リング外周
６６  リング内周
７０  リフトストラップ
７２  第１の端部
７４  第２の端部
７６、７８  ループ
８０  ストラップ底部
８２、１００  ストラップ固定穴
８４  ストラップ部分
９０  吊り上げ装置
９２、９４  フラップ
９６、２２０  フラップ凹部
１０２、１０４  ストラップ端縁
１１０、１１２  上方に広がる部分
１１４、１１６  ストラップ開口部
１２０、１２２  ストラップ外側部分
２００  溶接ワイヤパッケージ
２１０、２１２  内側底部フラップ
２１４、２１６  外側底部フラップ
３０、２３２、２３４、２３６  パッケージ側壁
２５０、２５２  内側上部フラップ
２５４、２５６  外側フラップ
２６０、２６２  パッケージ開口部
２７０  パッケージライナー
【図１】
2006026741.tif 000003
【図２】
2006026741.tif 000004
【図３】
2006026741.tif 000005
【図４】
2006026741.tif 000006
【図５】
2006026741.tif 000007
【図６】
2006026741.tif 000008
【図７】
2006026741.tif 000009